(57)【要約】【課題】タイマ運転を設定する操作の煩わしさを解消するとともに、簡単操作で快適な空調空間を実現する空気調和装置を提供することにある。【解決手段】室内ユニットや、リモコンなどの制御部に時計機能を備えて、使用者が、運転停止スイッチを任意に操作して本空気調和装置を運転、或いは、停止させた時刻データを記憶させるとともに、本空気調和装置が運転している時間や停止している時間を運転時間帯データとして記憶させることにより、前記使用者が運転停止スイッチを操作した時刻データに基づいた自動タイマ運転を行なわせることが可能となる。さらに、記憶させた前記時刻データを、その後の使用者の運転停止スイッチの操作により更新して記憶させることが可能となるため、タイマ運転を設定する操作の煩わしさを解消するとともに、簡単操作で快適な空調空間を実現することが可能となる。【選択図】　　　図２
2004037344.tif 000002
【特許請求の範囲】
【請求項１】
時計機能を備え、運転開始時刻と、運転終了時刻との時刻データにより機器の自動的な運転開始および運転停止を行なわせるタイマ装置において、
使用者が運転停止スイッチを手動操作して前記機器を運転開始および運転停止させた時刻の時刻データに基づいて、前記機器の自動的な運転開始および運転停止を行なわせるタイマ運転手段を備えたことを特徴とするタイマ装置。
【請求項２】
前記使用者が前記運転停止スイッチを手動操作して前記機器を運転開始および運転停止させた時刻の時刻データ、および、前記機器を運転していた時間帯を前記タイマ装置の制御部へ記憶させたことを特徴とする請求項１に記載のタイマ装置。
【請求項３】
前記タイマ運転手段のタイマ運転入り切りの設定操作を、前記時計機能へ、少なくとも現在時刻を入力した時点より操作有効としたことを特徴とする請求項１または２に記載のタイマ装置。
【請求項４】
時計機能を備え、自動的に運転開始および運転停止を行なえるタイマ装置を備えた空気調和装置において、
使用者が運転停止スイッチを操作して前記空気調和装置の運転開始および運転停止を行なわせた時刻の時刻データに基づいて自動的な運転開始および運転停止を行わせる第１タイマ運転手段を備えたことを特徴とするタイマ装置を備えた空気調和装置。
【請求項５】
前記使用者が前記運転停止スイッチを手動操作して前記機器を運転開始および運転停止させた時刻の時刻データ、および、前記空気調和装置を運転していた時間帯を前記空気講和装置の制御部へ記憶させたことを特徴とする請求項４に記載のタイマ装置を備えた空気調和装置。
【請求項６】
前記第１タイマ運転手段での運転開始を、前記使用者が、前記運転停止スイッチを操作して運転開始させた時刻データの一定時間前より開始させるものとしたことを特徴とする請求項４または５に記載のタイマ装置を備えた空気調和装置。
【請求項７】
前記第１タイマ運転手段に加えて、前記使用者が、予め、運転開始時刻と、運転終了時刻とのそれぞれの時刻データを設定しておき、自動的な運転開始および運転停止を行わせる第２タイマ運転手段を備えたことを特徴とする請求項４乃至６のいずれかに記載のタイマ装置を備えた空気調和装置。
【請求項８】
前記第１タイマ運転手段での運転中と、前記第２タイマ運転手段での運転中とを、それぞれ異なる表示などの報知手段により報知したことを特徴とする請求項４乃至７のいずれかに記載のタイマ装置を備えた空気調和装置。
【請求項９】
前記第１タイマ運転手段の実行操作と、前記第２タイマ運転手段の実行操作とを、それぞれ異なるスイッチ、或いは、異なる実行操作のいずれかにより実行されるタイマ運転手段とし、さらに、いずれかのタイマ運転手段の実行中は、他方のタイマ運転手段は実行されないものとしたことを特徴とする請求項４乃至８のいずれかに記載のタイマ装置を備えた空気調和装置。
【請求項１０】
前記第１タイマ運転手段、および、前記第２タイマ運転手段を、前記空気調和装置の室内放熱器、或いは、リモコンのいずれかに内蔵した制御部へ備えさせたことを特徴とする請求項４乃至９のいずれかに記載のタイマ装置を備えた空気調和装置。
【発明の詳細な説明】
【０００１】
【発明の属する技術分野】
時計機能を備え、時刻設定によるタイマ運転を行なうことが可能な空気調和装置に関する。
【０００２】
【従来の技術】
これまでの空気調和装置では、使用者が任意に運転開始や、運転停止をさせる運転開始および運転停止機能の他に、この空気調和装置の室内ユニットや、リモコンの少なくともいずれかの制御部に時計機能を持たせ、自動的に前記空気調和装置の運転開始や、運転停止を行なわせるタイマ運転を行なうことが可能となっていた。
【０００３】
このタイマ運転手段を行わせる場合、前記いずれかの制御部へ現在時刻と、前記空気調和装置を運転させる運転開始の時刻データ、或いは、停止の時刻データを、使用者が前以って設定しておく必要があった。
【０００４】
この設定について、現在時刻の設定から説明すると、例えば、前記リモコンで設定を行なう場合、まず、前記リモコン上に配設された操作スイッチを操作して、前記リモコンの機能を現在時刻の設定モードへと変更させ、同リモコン上に配設された数値のアップ、或いは、ダウンを行なわせる機能の操作スイッチを操作して、時刻データを現在時刻に合わせて表示させ、前記操作スイッチを再度操作して、前記現在時刻の設定モードを解除することにより、前記表示された時刻デ−タが、現在時刻として記憶されて、この現在時刻の時刻データの設定は完了する。
【０００５】
この現在時刻の設定操作は、１度、設定を完了してしまえば、その後は、前記リモコンに内蔵された前記時計機能でカウントされて行くため、前記設定した時刻データと、実際の時刻とに大幅なずれが生じていない限りは、特に、設定の修正を行なう必要も無かった。
【０００６】
次に、同リモコン上に配設された操作スイッチを操作して、前記リモコンの機能を、前記空気調和装置のタイマ運転を行わせる設定モードへと変更させ、上記同様に、同リモコン上に配設された数値のアップ、或いは、ダウンを行なわせる機能の操作スイッチを操作して、運転開始の時刻データ、或いは、停止の時刻データの少なくともいずれかを設定し、同リモコンでの前記タイマ運転手段を行わせる前記設定モードを解除させ、通常の遠隔操作が行なえる通常モードの機能へと戻す。
【０００７】
そして、同リモコン上に設けられた、前記空気調和装置のタイマ運転手段を実行させる操作スイッチを操作して、タイマ運転モードとすることにより、前記空気調和装置を前記運転開始の時刻、或いは、運転停止の時刻に、運転開始および運転停止させるタイマ運転による自動運転が実行可能となっていた。
【０００８】
【発明が解決しようとする課題】
しかし、近年、前記室内ユニットは、もちろん、前記リモコン上に配設される操作スイッチの数は、減少される方向にあるため、１つの操作スイッチに要求される機能が増え、前記操作スイッチの長押しや、複数回押し、或いは、他の操作スイッチとの同時押しなど、１つの操作スイッチの操作の仕方により、その操作スイッチの持つ機能が変化する様に多機能化され、見た目には、スッキリしたものとはなったが、複雑な操作を行なわなければ、このタイマ運転手段の前記運転開始の時刻データ、或いは、運転停止の時刻データの設定が行なえない様になってしまい、前記使用者へ操作の煩わしさ感を与えてしまっており、改善が望まれていた。
【０００９】
そこで、本発明の目的は、タイマ運転手段を設定する操作の煩わしさを解消するとともに、簡単操作で快適な空調空間を実現する空気調和装置を提供することにある。
【００１０】
【課題を解決するための手段】
請求項１に記載の発明は、時計機能を備え、運転開始時刻と、運転終了時刻との時刻データにより機器の自動的な運転開始および運転停止を行なわせるタイマ装置において、使用者が運転停止スイッチを手動操作して前記機器を運転開始および運転停止させた時刻の時刻データに基づいて、前記機器の自動的な運転開始および運転停止を行なわせるタイマ運転手段を備えたことを特徴とするものである。
【００１１】
請求項２に記載の発明は、請求項１に記載のものにおいて、前記使用者が前記運転停止スイッチを手動操作して前記機器を運転開始および運転停止させた時刻の時刻データ、および、前記機器を運転していた時間帯を前記タイマ装置の制御部へ記憶させたことを特徴とするものである。
【００１２】
請求項３に記載の発明は、請求項１または２に記載のものにおいて、前記タイマ運転手段のタイマ運転入り切りの設定操作を、前記時計機能へ、少なくとも現在時刻を入力した時点より操作有効としたことを特徴とするものである。
【００１３】
請求項４に記載の発明は、時計機能を備え、自動的に運転開始および運転停止を行なえるタイマ装置を備えた空気調和装置において、使用者が運転停止スイッチを操作して前記空気調和装置の運転開始および運転停止を行なわせた時刻の時刻データに基づいて自動的な運転開始および運転停止を行わせる第１タイマ運転手段を備えたことを特徴とするものである。
【００１４】
請求項５に記載の発明は、請求項４に記載のものにおいて、前記使用者が前記運転停止スイッチを手動操作して前記機器を運転開始および運転停止させた時刻の時刻データ、および、前記空気調和装置を運転していた時間帯を前記空気講和装置の制御部へ記憶させたことを特徴とするものである。
【００１５】
請求項６に記載の発明は、請求項４または５に記載のものにおいて、前記第１タイマ運転手段での運転開始を、前記使用者が、前記運転停止スイッチを操作して運転開始させた時刻データの一定時間前より開始させるものとしたことを特徴とするものである。
【００１６】
請求項７に記載の発明は、請求項４乃至６のいずれかに記載のものにおいて、前記第１タイマ運転手段に加えて、前記使用者が、予め、運転開始時刻と、運転終了時刻とのそれぞれの時刻データを設定しておき、自動的な運転開始および運転停止を行わせる第２タイマ運転手段を備えたことを特徴とするものである。
【００１７】
請求項８に記載の発明は、請求項４乃至７のいずれかに記載のものにおいて、前記第１タイマ運転手段での運転中と、前記第２タイマ運転手段での運転中とを、それぞれ異なる表示などの報知手段により報知したことを特徴とするものである。
【００１８】
請求項９に記載の発明は、請求項４乃至８のいずれかに記載のものにおいて、前記第１タイマ運転手段の実行操作と、前記第２タイマ運転手段の実行操作とを、それぞれ異なるスイッチ、或いは、異なる実行操作のいずれかにより実行されるタイマ運転手段とし、さらに、いずれかのタイマ運転手段の実行中は、他方のタイマ運転手段は実行されないものとしたことを特徴とするものである。
【００１９】
請求項１０に記載の発明は、請求項４乃至９のいずれかに記載のものにおいて、前記第１タイマ運転手段、および、前記第２タイマ運転手段を、前記空気調和装置の室内放熱器、或いは、リモコンのいずれかに内蔵した制御部へ備えさせたことを特徴とするものである。
【００２０】
【発明の実施の形態】
以下、本発明の一実施の形態を、図１から図４を用いて説明する。
【００２１】
図１は、本発明による自動タイマ運転手段（以下、第１タイマ運転手段と言う。）を内蔵したタイマ装置について、その一例として空気調和装置の温水循環式床暖房器１００ヘ備えた構成図である。
【００２２】
温水循環式床暖房器１００は、室外に設置される熱源器１と、室内床面に配設される室内放熱器２とを、温水が流通する往き管３と、戻り管４とで接続して構成される。
【００２３】
熱源器１には、ガスなどの燃料を燃焼させるバーナ１３と、バーナ１３の熱を回収して温水を生成する熱交パイプ１０と、この温水を室内放熱器２へ循環させる循環ポンプ１１と、前記温水の循環を遮断する温水弁１２とが配管で接続されて内臓されている。
【００２４】
さらに、前記バーナ１３や、循環ポンプ１１などの運転制御と、放熱器制御部２１との通信を行なう熱源器制御部１４とが内蔵されている。
【００２５】
また、室内放熱器２には、放熱パイプ２０が内蔵されており、放熱器制御部２１は、室内壁面に取り付けられた表示操作部、および、制御部で、時計機能を内蔵し、室内温度を検出する室内温度センサ２２が備えられ、通信配線５で熱源器１に内蔵された熱源器制御部１４と接続されている。
【００２６】
図２に示す様に、この放熱器制御部２１の前扉２３を開けると、表面には、液晶などによる表示部３０と、複数の押しボタンスイッチを設けた操作部３１とが備えられており、内部には、室内温度センサ２２と、時計機能と、記憶装置と、タイマ運転手段とを備えた制御部５０が内蔵されている。
【００２７】
ここで、これまでの運転開始時刻と、運転終了時刻とを予め設定し、行なわせるタイマ運転手段（以下、第２タイマ運転手段と言う。）について説明すると、まず、現在時刻合わせスイッチ４０を操作して、放熱器制御部２１を現在時刻の設定モードとし、プラス（＋）スイッチ４１と、マイナス（−）スイッチ４２とを操作して、現在時刻を合わせる。
【００２８】
そして、時刻確定スイッチ４３を操作して、現在時刻の入力設定を完了する。
【００２９】
次に、入時刻合わせスイッチ４４を操作して、第２タイマ運転手段の入時刻設定モードとし、プラス（＋）スイッチ４１と、マイナス（−）スイッチ４２とを操作して、本温水循環式床暖房器１００の所望の運転開始時刻を合わせ、時刻確定スイッチ４３を操作して、運転開始時刻の入力設定を完了する。
【００３０】
また、運転終了時刻の入力設定についても、切時刻合わせスイッチ４５を操作して、第２タイマ運転手段の切時刻設定モードとし、上記と同様の操作を行なって、入力設定を完了する。
【００３１】
この放熱器制御部２１には、この運転開始時刻と、運転終了時刻とを予め設定し、行なわせる前記第２タイマ運転手段が、タイマー１と、タイマー２との２つ備えられており、１日の内に２回の運転開始、および、運転終了を前記第２タイマ運転手段により行える様になっている。
【００３２】
このタイマー１と、タイマー２との、入時刻、および、切時刻の入力設定は、上記入時刻合わせスイッチ４４、および、切時刻合わせスイッチ４５を約２秒以上操作しているか否かにより区別されている。
【００３３】
この運転開始時刻と、運転終了時刻とを予め設定し、行なわせる第２タイマ運転手段を実行させるには、第２タイマ運転手段用タイマー入／切スイッチ４６を操作して、第２タイマ運転手段が実行されるものとなっており、この第２タイマ運転手段が実行されると、表示部３０上のタイマー１、および、タイマー２の表示が点灯する様になっている。
【００３４】
そして、この第２タイマ運転手段が実行されると、放熱器制御部２１に内蔵された制御部５０で、上記設定された前記現在時刻が、前記運転開始時刻、或いは、前記運転終了時刻となったか否かの判断が行なわれ、前記運転開始時刻となったことが判断されると、本温水循環式床暖房器１００の運転が開始され、前記運転終了時刻となったことが判断されると、本温水循環式床暖房器１００の運転を終了する様に制御されていた。
【００３５】
これに対し、本願発明の使用者が運転停止スイッチを操作して本温水循環式床暖房器１００の運転開始および運転停止を行なわせた時刻の時刻データに基づいて自動的な運転開始および運転停止を行わせる第１タイマ運転手段では、まず、上記と同様に、現在時刻合わせスイッチ４０を操作して、放熱器制御部２１を現在時刻の設定モードとし、プラス（＋）スイッチ４１と、マイナス（−）スイッチ４２とを操作して現在時刻を合わせ、時刻確定スイッチ４３を操作して、現在時刻の入力設定を完了する。
【００３６】
次に、自動タイマー運転の第１タイマ運転手段用タイマー入／切スイッチ４７を操作することにより、この第１タイマ運転手段が実行されるものとなっており、この第１タイマ運転手段が実行されると、表示部３０上のタイマー１、および、タイマー２の表示が点滅する様になっている。
【００３７】
この様に、前記第１タイマ運転手段と、前記第２タイマ運転手段とで、表示部３０上の表示が異なるものとすることで、使用者は、ひと目でどちらのタイマ運転手段が実行されているのかを確認することが出来る。
【００３８】
ここで、この第１タイマ運転手段用タイマー入／切スイッチ４７の操作は、上記現在時刻の入力設定が完了するまで有効とならない様になっている。その理由は、前記現在時刻の入力設定が完了するまでは、この現在時刻の時刻データは、不明な時刻データとなっているからで、もし、前記時刻データが、前記不明な時刻データのままの状態であるにも関わらず、上記第１タイマ運転手段用タイマー入／切スイッチ４７の操作を有効としてしまうと、この第１タイマ運転手段では、使用者が、運転停止スイッチ４９を操作した時点の時刻データを制御部５０の図示していない記憶装置へ記憶させるため、その時刻データが、前記不明な時刻データで記憶されてしまうことになるため、後に前記現在時刻の時刻データを入力設定しても、前記使用者の所望する運転時刻での運転開始および運転停止が行なわれなくなってしまうからである。
【００３９】
そして、上記第１タイマ運転手段用タイマー入／切スイッチ４７が操作されて、第１タイマ運転手段が実行されると、まず、この時点から、前記使用者が運転停止スイッチ４９を操作した時点の時刻データ、および、本温水循環式床暖房器１００の運転時間帯データが、前記記憶装置へ記憶されるものとなっている。
【００４０】
この時刻データの記憶のされ方としては、例えば、図３に示す様に、第１タイマ運転手段が実行されている間において、使用者が運転停止スイッチ４９を操作して、本温水循環式床暖房器１００を運転させた時刻データを、まず、前記記憶装置へ記憶させる。
【００４１】
さらに、この温水循環式床暖房器１００を運転させていた時間帯を運転中（１）とし、停止させていた時間帯を停止中（０）として、その運転時間帯データを記憶させるが、この運転時間帯データの記憶データについては、前記記憶装置のメモリ容量の都合もあるため、例えば、１０分単位毎に運転状態を確認し、記憶させるものとしている。
【００４２】
例えば、図３に示す朝７時００分の本温水循環式床暖房器１００の運転開始では、まず、前記使用者が、運転停止スイッチ４９を操作して本温水循環式床暖房器１００を運転させた時刻の時刻データを運転開始時刻として、制御部５０の前記記憶装置へ記憶するとともに、前記運転時間帯データを運転中（１）として、上記１０分単位毎に記憶して行く。
【００４３】
また、朝９時３０分の本温水循環式床暖房器１００の運転終了では、前記使用者が、運転停止スイッチ４９を操作して本温水循環式床暖房器１００を停止させた時刻の時刻データを運転終了時刻として、前記記憶装置へ記憶させるとともに、前記運転時間帯データを停止中（０）として、上記１０分単位毎に記憶して行くものとなっている。
【００４４】
また、前記第１タイマ運転手段用タイマー入／切スイッチ４７が操作された時点から２４時間分の時刻データ、および、前記温水循環式床暖房器１００の運転時間帯データを記憶させるものとなっており、前記２４時間分の時刻データが記憶された後は、前記運転停止スイッチ４９が操作される度に、記憶された前記時刻データ、および、前記運転時間帯データは更新されるものとされている。
【００４５】
また、前記使用者が、運転停止スイッチ４９を操作して、前記記憶装置へ記憶された運転開始や、運転終了の時刻データ、および、運転時間帯データは、第１タイマ運転手段用時刻データリセットスイッチ４８を操作することにより、消去される様になっている。
【００４６】
そして、前記第１タイマ運転手段用タイマー入／切スイッチ４７の操作が行なわれず、前記第１タイマ運転手段が実行されたままの状態としておけば、前記記憶装置に記憶された前記時刻データ、および、前記運転時間帯データと、前記現在時刻をカウントしている前記時計機能とにより、２４時間前、前記使用者が運転停止スイッチ４９を操作して本温水循環式床暖房器１００を運転開始および運転停止させた時刻での運転が行なれる。
【００４７】
但し、この第１タイマ運転手段での本温水循環式床暖房器１００の自動運転開始では、前記使用者が、運転停止スイッチ４９を操作して、この温水循環式床暖房器１００を運転開始させた時刻の時刻データに対し、例えば、この３０分前からの運転開始を行なう様制御している。
【００４８】
それは、前記使用者が、本温水循環式床暖房器１００が敷設された部屋を使用し始めた時刻が、前記記憶装置に記憶された時刻データの時刻であるとしており、この温水循環式床暖房器１００が運転を開始してから、前記部屋をある程度暖房出来るまで時間が必要であるからである。
【００４９】
また、この第１タイマ運転手段での本温水循環式床暖房器１００の自動運転開始を行なわせるにあたり、前記記憶装置へ記憶させる時刻データを前記使用者が運転停止スイッチ４９を操作した時刻の時刻データの３０分前の時刻データとしない理由は、例えば、先に運転していた運転時間帯と、後に運転させる運転時間帯との間の停止している時間帯が極端に短い場合、前記記憶装置へ記憶させる前記先の運転の運転終了時刻と、前記後の運転の運転開始時刻との前記時刻データが前後してしまう可能性があることや、短い停止時間の場合、この先の運転と、後の運転とを連続した運転として制御させるなどの前記第１タイマ運転手段での制御性、および、もし、他の制御手段で、前記時刻データを利用する場合、その制御手段でも利用し易いデータとして記憶させておくためである。
【００５０】
なお、この第１タイマ運転手段での本温水循環式床暖房器１００の自動運転終了では、前記記憶装置に記憶された時刻データで、運転終了を行わせている。
【００５１】
この様に、前記使用者が運転停止スイッチ４９を操作して、本温水循環式床暖房器１００を運転開始および運転停止させた時刻の時刻データを記憶させることにより、この時刻データに基づいて自動的な運転開始および運転停止を行なわせることが可能となる。
【００５２】
また、前記第１タイマ運転手段用タイマー入／切スイッチ４７の操作が行なわれ、この第１タイマ運転手段の実行が解除されたならば、この第１タイマ運転手段は中断され、前記記憶装置に記憶された時刻データおよび運転時間帯データは、保管されたままとなり、再度、前記第１タイマ運転手段用タイマー入／切スイッチ４７の操作が行なわれ、この第１タイマ運転手段が再開された場合、前記記憶装置に記憶された前記時刻データ、および、前記運転時間帯データにより運転が行なわれることとなる。
【００５３】
ところで、上記説明の様に、この第１タイマ運転手段の実行中、前記時刻データ、および、前記運転時間帯データは、２４時間分の時刻データを記憶した後も継続をして前記使用者の運転停止スイッチ４９の操作により、更新されるものとしている。
【００５４】
例えば、前記使用者の運転停止スイッチ４９の操作により、図３に示した様に第１タイマ運転手段の運転開始時刻と、運転終了時刻との時刻データが記憶されていた場合、前記使用者により、前記運転停止スイッチ４９が操作され、朝６時００分から運転開始されたとすると、この朝６時００分から運転開始されたことが新たな運転開始時刻の時刻データとして、前記記憶装置へ記憶されるとともに、前記運転時間帯データを運転中（１）して記憶して行く。
【００５５】
そして、図４に示す様に、図３に示す前記記憶装置へ記憶されていた運転開始時刻の朝７時００分の時刻データは、現在時刻が、この朝７時００分となった時点で、前記朝７時００分の時刻データの前から前記運転時間帯データが運転中（１）であることが確認され、本温水循環式床暖房器１００の運転中の時刻データであるとして消去される。
【００５６】
同様に、前記使用者が、朝９時００分に運転停止スイッチ４９を操作して、本温水循環式床暖房器１００の運転を終了させた場合、この朝９時００分の時刻データを新たな運転終了時刻として前記記憶装置へ記憶させるとともに、前記運転時間帯データを停止中（０）として記憶させ、図３に示す朝９時３０分の運転終了時刻データを消去する。
【００５７】
この様に、前記運転開始時刻データ、および、前記運転停止データと、前記運転時間帯データとを制御部５０の前記記憶装置へ記憶させてくことにより、前記使用者が、運転停止スイッチ４９を操作して、前記記憶装置へ記憶させた上記時刻データ、および、運転時間帯データを更新させることが可能となる。
【００５８】
なお、本実施の形態では、壁取り付けとする放熱器制御部２１へ、本願発明の自動タイマ運転手段を備えて説明したが、この放熱器制御部２１が、例えば、冷媒を循環させて空調運転を行わせる空気調和装置などの様に、室内ユニットの制御部と、遠隔操作を行なうワイヤレスリモコンなどの制御部とに分離される場合などでは、操作性の点では、前記ワイヤレスリモコンへ備える方が便利であるが、万が一、前記ワイヤレスリモコンを紛失、或いは、その送信電波の届かない場所へ置かれてしまった場合を考慮すると、前記室内ユニットの制御部へ備えるものとした方が良い。
【００５９】
また、空気調和装置の一つである温水循環式床暖房器１００を一例として説明を行なったが、特にこれに限らず、タイマ運転手段を備え、自動的な運転開始および運転停止を行なわせる機器へ、本願発明の自動タイマ運転手段を備えて自動運転を行うものとしても構わない。
【００６０】
さらに、昼夜を問わず、タイマ運転手段により運転開始と、運転終了を行わせる機器であれば、上記説明した２４時間前のデータを、１２時間前のデータとして、前記タイマ運転手段を行わせるものとしても構わない。
【００６１】
例えば、炊飯器など、この第１タイマ運転手段を備えることにより、煩わしいタイマ設定を行なわずに、朝７時からの朝食と、夜７時からの夕食とに合わせて、自動的に炊飯を行なわせることも可能となる。
【００６２】
【発明の効果】
以上の説明より、時計機能を備え、タイマ運転により行なわせる自動運転を、使用者が運転停止ボタンを操作することによる運転開始と、停止との時刻データに基づいて行なわせることにより、タイマ運転の設定の煩わしさを解消することが可能となる。
【００６３】
さらに、このタイマ運転での運転開始を、前記運転開始の時刻データより一定時間前より開始させることにより、使用者の希望する時刻での、空調ができているため、簡単操作での快適な空調空間を得ることか可能となる。
【図面の簡単な説明】
【図１】本願発明による自動タイマ運転手段を内蔵した温水循環式床暖房器の構成図である。
【図２】本願発明の自動タイマ運転手段を備えた放熱器制御部の正面図である。
【図３】本願発明により記憶された運転開始、および、運転終了の時刻データと、運転時間帯データを示したタイムチャートである。
【図４】前記記憶された運転開始、および、運転終了の時刻データと、運転時間帯データの更新について示したタイムチャートである。
【符号の説明】
１　熱源器
２　室内放熱器
３　往き管
４　戻り管
５　通信配線
１０　熱交パイプ
１１　循環ポンプ
１２　温水弁
１３　バーナ
１４　熱源器制御部
２０　放熱パイプ
２１　放熱器制御部
２２　室内温度センサ
２３　前扉
４０　現在時刻合わせスイッチ
４１　プラス（＋）スイッチ
４２　マイナス（−）スイッチ
４３　時刻確定スイッチ
４４　入時刻合わせスイッチ
４５　切時刻合わせスイッチ
４６　第２タイマ運転手段用タイマー入／切スイッチ
４７　第１タイマ運転手段用タイマー入／切スイッチ
４８　第１タイマ運転手段用時刻データリセットスイッチ
４９　運転停止スイッチ
５０　制御部
１００　空気調和装置
【図１】
2004037344.tif 000003
【図２】
2004037344.tif 000004
【図３】
2004037344.tif 000005
【図４】
2004037344.tif 000006